Podtech/llm-jp-corpus-v4-ja_patent huggingface dataset:
(57)【要約】【課題】本発明は、ゴルフの楽しさを認識させることと初心者ゴルファー獲得を目的とする。【解決手段】本発明は、初心者でも簡単にショット出来ることを特徴とするクラブとした。また、特別ルールを設定することでゴルフを楽しむことを主目的とする。【選択図】なし【特許請求の範囲】
【請求項１】
全長が９７．８ｃｍ以下であって、矯正グリップを有するゴルフ用ドライバー。
【請求項２】
２打目以降も請求項１のゴルフ用ドライバーを使用して、ティーアップして打つ請求項１のゴルフ用ドライバーの使用方法。
【発明の詳細な説明】
【技術分野】
【０００１】  本発明は、初心者でも打ちやすいゴルフクラブ、特にドライバーとその使用方法に関する。
【背景技術】
【０００２】  昨今のゴルフ業界において、ゴルフ人口の減少に伴い、初心者ゴルファーの開拓が急務である。そこで簡単で打ちやすく、初心者でも楽しめるルールでゴルフを体感していただきたい。そのためには、専用のゴルフクラブ、とくにドライバーが求められる。【０００３】  そもそもゴルフは敷居の高いスポーツである。初心者は、ボールが当たらないので、ゴルフは難しいと感じることでゴルフを続けない。そしてそのためにベースとなるプレーヤー数の減少が続いている。そこで、初心者がゴルフになじみやすいようなゴルフクラブが求められている。
【発明の概要】
【０００４】  本発明は、初心者がゴルフになじみやすいゴルフクラブ、特にドライバーを提供し、その使用方法を提案することを目的とする。
【０００５】  本発明は、全長が９７．８ｃｍ以下であって、矯正グリップを有するゴルフ用ドライバーを提供する。また、本発明は、２打目以降も請求項１のゴルフ用ドライバーを使用して、ティーアップして打つ請求項１のゴルフ用ドライバーの使用方法をも提供する。
【０００６】  本発明のゴルフクラブは、通常、ドライバーであれば全長が４３．５インチ（１１０．５ｃｍ）程度であるところを、５インチ（１２．７ｃｍ）以上クラブの長さを短縮する。つまり、ドライバーの全長を３８．５インチ（９７．８ｃｍ）以下にする。例えば、図１に示すように、ウッドの全長を身長１４５センチまで用として３３インチ（８３．８ｃｍ）、身長１５５センチ用として３４インチ（８６．４ｃｍ）、身長１６５ｃｍまで用として３５インチとすることができる。さらに身長１７０まで用として、全長３６インチ（９１．４ｃｍ）、身長１７５ｃｍまで用として全長３７インチ（９４ｃｍ）のクラブを設定することもできる。また、グリップは、図２に示すようなグリップ矯正用に手指の置き方が示されているもの（「矯正グリップ」という。）を使用する。このようにすることにより、身長の低いプレーヤーもゴルフになじみやすくなり、またグリップの仕方もわざわざレッスンを受けなくても自然に身につくようになり、ゴルフ産業の活性化に有用である。
【０００７】  本発明のゴルフクラブの使用方法としては、ゴルフへのなじみやすさを優先して、ルールを簡略化する。まず、通常ティーアップできるのは１打目だけであるが、２打目以降も、グリーンオンするまで何度でも何処でもティーアップできるものとする。これは、本発明による短いクラブで楽にプレーできるようにする効果があるし、同じドライバーを使って２打目以降を打つこともできるようになる。また、地面を打ってしまういわゆるダフリはプレーヤーにとって心理的な緊張を強いるものであるが、それを最低限にすることができる。
【０００８】  さらに、ボールがバンカーや池に入った場合やＯＢになった場合には、罰則なしで、ピンに近づかない位置からプレーできるものとする。つまり、フェアウェイ等の本人が打ちやすい場所までボールを移動することをペナルティなしに許す。
【０００９】  ホールアウトの際のルールとしては、パットして、あるいはパットなしで、ホールまでワングリップ（３０センチから５０センチ程度の距離のこと）以内に寄った時点でホールに入ったと見なす。ホールアウトしたと見なした際も１打数はカウントしない。このように、基本的に罰打を加算しないのでルールが簡素化され、プレーしやすくなる。
【００１０】  その他、ホール数を制限せず、１８ホールまたは９ホール全部を回ることなく数ホールだけプレーすることを認めることをできる。そうすれば、ゴルフのプレーに長時間拘束されることなく、短時間気軽に楽しむことができる。
【００１１】  また、上述のように、本発明によればティーを多用することができるので、ティーの軸の適当な高さ位置に印をつけておき、適切な深さまでティーを埋められるようにしておくことで、一定の深さでティーを埋めることができ、常に同じ高さにボールを打てるようになる。
【００１２】  以上のように、本発明のドライバーはゴルフ産業の活性化に資するものであり、産業上の利用性がある。
【図面の簡単な説明】
【００１３】
【図１】  ゴルフ初心者のための超短尺ドライバー、チッパー、パターの説明図である
【図２】  ゴルフ初心者のためグリップ矯正用のグリップ図である。
【図１】
2020011009.tif 000002
【図２】
2020011009.tif 000003
(57)【要約】      （修正有）【課題】水中において完全に沈降しきらない浮遊物を効果的に除去することができ、余分な排水を減らすための排出装置の提供。【解決手段】水中に設置され内部に水を収容する空間を有し、上方が開放されるように形成されたフード１、および前記フード１底部ないし底部付近にはフード１内に取込んだ粒子等の物質を排出する排出管２を備え、前記フード１の底部に排出孔１０３が形成され、その上方には取り込み口１０２が形成されており、前記排出孔１０３には、下方へ延伸するように排出管２が連接され、前記排出管２は、前記フード１内の空間１０１に連通しており、前記排出管２を介して前記フード１内の空間１０１の粒子等の物質を前記フード１の外へ排出する構成とする。【選択図】図１
2020011240.tif 000002
【特許請求の範囲】
【請求項１】
水中に設置された排出管の全部またはその一部をホースとした排出装置。
【請求項２】
水中に設置されたフードの排出管の全部またはその一部をホースとした排出装置。
【発明の詳細な説明】
【技術分野】
【０００１】  本発明は、水処理における固液分離に関するものである。
【背景技術】
【０００２】  従来の水処理において、多くの沈殿池では、濁質等を沈降させ、集水トラフにより上澄み水をろ過地に運ぶ仕組みを取っている。（特許文献１）。【０００３】  しかし、凝集不良や流速等、様々な要因により沈降しない浮遊物が存在する。それらの浮遊物が集水トラフでろ過池へ運ばれると、ろ過池等の後段の処理に負担が生じる。【０００４】  また、傾斜板等、浮遊物の沈降を促進する機器などがあるものの（特許文献１）、比重の小さな浮遊物は沈殿しにくく、それらの機器により浮遊物を完全に沈降させることは困難であった。
【先行技術文献】
【特許文献】
【０００５】
【特許文献１】特許第６５１４８３７号
【発明の概要】
【発明が解決しようとする課題】
【０００６】  そこで本発明は、従来の水処理設備のかかる欠点を克服し、水中において完全に沈降しきらない浮遊物を効果的に除去することができる固液分離装置に係る排出装置の提供をその課題とするものである。なお、特許第６５１４８３７号は、水処理全般の固液分離装置であり、現在、実証実験、共同研究、共同開発等について連携先を募集している。
【課題を解決するための手段】
【０００７】  本発明は、上記課題を解決するものであり、水中に設置され、上方が開放されるとともにその内部には水を収容する空間を有するように形成された円錐台、角錐台のフードを備え、該フードの底部ないし底部付近には該フード内に取り込んだ物質を排出する排出管の全部またはその一部にホースを取り付けた固液分離装置に係る排出装置である。なお、排出装置とは排出管にホースを取り付けたものである。【０００８】  また、本発明は、前記フードはその内部には水を収容する空間を有していればよく、そのフードの形状は円錐台、角錐台など形状は限定しない。
【発明の効果】
【０００９】  本発明にかかる排出装置は、排出管の全部またはその一部をホースにすることにより、前記フード内に取込んだ物質を効果的に排出するとともに余分な排水を減らし、また、排出管からの逆流を減らすことができる。前記ホースは通常、水中では水圧で潰れており、前記フード内に取込んだ物質が堆積していくとその重さで堆積物は前記ホースから排出される。ホースをから排出される量が減ると再びホースは水圧で潰れ排出口が狭まった状態になる。
【図面の簡単な説明】
【００１０】
【図１】本発明にかかる固液分離装置及び排出装置の設置例で、沈殿池などの水中に設けたものを模式的に表す図。
【発明を実施するための形態】
以下、本発明の固液分離装置に係る排出装置の実施態様を図面に基づいて具体的に説明する。なお、本発明はこれらの実施態様に何ら制約されるものではない。
【００１１】  本発明の固液分離装置は水中に設置され内部に水を収容する空間を有し、上方が開放されるように形成されたフード１を備え、その底部ないし底部付近にはフード１内に取込んだ粒子等の物質を排出する排出管２を備える。以下、本発明にかかる固液分離装置及びその排出装置について詳しく説明する。
【００１２】  図１は、本発明に係る固液分離装置を構成するフード１は、内部に水を収容する空間１０１を有し、上方が開放するフードを形成する図である。フードの底部に排出孔１０３が形成され、その上方には取り込み口１０２が形成される。また、排出孔１０３には、下方へ延伸するように排出管２が連接されている。排出管２は、フード１内の空間１０１に連通しており、排出管２を介してフード１内の空間１０１の粒子等の物質をフード１の外へ排出する。
【００１３】  図１のように排出管２は排出管２ａのように分岐させてもよい。排出管２ａの排出口３及び排水弁５は水面Ｗより低い位置の排水トラフ１０４内にある。排水弁５を開けると、排出口３から水中の外へと排水される。排水することにより、フード１の取込み口１０２からフード１内の空間１０１への流れる量が増す。これにより、水中の粒子等が水の流れとともにフード１内の空間１０１に取込まれ易くなる。
【００１４】  排水弁５を開けると、水中にある排出口３ａから水を吸い込む。排水口３ａから吸い込んだ水が排水口３に流れると、ホース４の内部の水圧が下がり、ホース４は潰れた状態となり排出口３ａは狭まり、吸い込む水の量が減る。
【００１５】  前記のように排出管２にホース４を取り付けることで余分な排水を無くし、フード１内の空間１０１や排出管２ａへの逆流を減らすことができる。なお、ホース４は水圧や大気圧で潰れる程度の柔らかい材質のものが好ましい。また、ホース４は排出管２の途中にバンドで取り付けてもよい。
通常、ホース４は、水圧で潰れた状態である。フード１内の空間１０１に取込まれた粒子等が堆積するとその重さでホース４から排出される。ホース４から排出される量が少なくなると、ホース４は再び水圧で潰れ、排出口３ａは狭まった状態となる。なお、ホース４が長すぎると、水圧によって潰れている箇所が長くなりフード１内の空間１０１に取込まれた粒子等の排出に支障が出るためホース４は任意の長さに調整する。
【符号の説明】
【００１６】    １  …  …    フード
２  …  …    排出管
２ａ  …  …    排出管
３  …  …    排出口
３ａ  …  …    排出口
４  …  …    ホース
５  …  …    排水弁
Ｗ  …  …    水面
１０１  …  …    空間
１０２  …  …    取込み口
１０３  …  …    排出孔
１０４  …  …    排水トラフ
【図１】
2020011240.tif 000003
(57)【要約】【課題】解決すべき課題は、車両荷室に積んだ荷物を固定するのは非常に高価につくという点である。本発明は上記の点を解決するためになされた。【解決手段】複数の溝が形成され、係る溝に嵌合可能な複数の仕切り板との組み合わせにより荷物を固定し得るデッキボードとすること及び、係るデッキボードが熱可塑性樹脂のブロー成形によって形成されることにより前記課題を解決した。 【選択図】図４
2020114730.tif 000002
【特許請求の範囲】
【請求項１】
複数の溝が形成され、係る溝に嵌合可能な複数の仕切り板との組み合わせにより荷物を固定し得ることを特徴とするデッキボード
【請求項２】
請求項１記載のデッキボードが熱可塑性樹脂のブロー成形によって形成されることを特徴とするデッキボード
【発明の詳細な説明】
【技術分野】
【０００１】
本発明は、車輌荷室仕切り付きデッキボードに関する。
【背景技術】
【０００２】
車輌荷室仕切り機構に関する従来技術としては特許文献１から７に開示されているようなものがある。
【０００３】
しかし、特許文献１に開示されているような方法では車両荷室に積んだ荷物を固定するのは非常に高価につくという欠点があった。
【先行技術文献】
【特許文献】
【０００４】
【特許文献１】特開2004-058721号公報
【特許文献２】特開2003-025920号公報
【特許文献３】特開2003-291731号公報
【特許文献４】特開2004-168099号公報
【特許文献５】特開2006-103524号公報
【特許文献６】特開2012-158198号公報
【特許文献７】実開平５-000546号公報
【発明の概要】
【発明が解決しようとする課題】
【０００５】
解決しようとする課題は、
車両荷室に積んだ荷物を固定するのは非常に高価につくという点である。本発明は上記の点を解決するためになされた。
【課題を解決するための手段】
【０００６】
上記目的を果たすため本発明は、複数の溝が形成され、係る溝に嵌合可能な複数の仕切り板との組み合わせにより荷物を固定し得ることを特徴とするデッキボードであることを最も主要な特徴とする
【０００７】
上記デッキボードが熱可塑性樹脂のブロー成形によって形成されることを第２の主要な特徴とする。
【発明の効果】
【０００８】
本発明によれば、
・荷物のズレを防止するすることができる。
・通常は意匠面（溝のないほうの面）を表にしてデッキボードとして使用する
・荷物のズレを防止したい場合、反意匠面（裏面）を上にして使用する
・反意匠面に設置された溝に仕切り板を差し込むことができる
・荷物の大きさに合わせられる
・樹脂製ならば反意匠面は防水性であり、濡れたり汚れた物を積載する際に使用できる
・仕切り板の脱着が容易
・溝の形成方向は車輌進行方向に限らず、例えば車輌左右方向、斜め方向でも可
・ブロー成形、シートブロー成形等により形成されるが、樹脂を当該形状に成形可能であれば
製法を問わない。
という利点がある。
【図面の簡単な説明】
【０００９】
【図１】本発明に係る車両用デッキボード１の斜視図
【図２】デッキボードを裏返して見た斜視図
【図３】デッキボードの裏の溝にちょうど嵌まるように製作された仕切り板の斜視図
【図４】裏返した該デッキボードに荷物を載せ、荷物に合わせて溝に仕切り板を嵌めて荷物が横方向にずれないようにした状態を表す斜視図
【発明を実施するための形態】
【００１０】
車両荷室に積んだ荷物を固定するという目的を、
デッキボードに複数の溝を形成し、係る溝に嵌合可能な複数の仕切り板との組み合わせにより荷物を固定することによって、
ブロー成形という安価な工法を用いて、経済性を損なわずに達成、実現した。
【実施例１】
【００１１】
本発明の構成を発明の実施の形態に基づいて説明すると次の通りである。
【００１２】
図１は、本発明の１実施例を示す車両用デッキボード１の斜視図である。
【００１３】
図２は、該デッキボード１を裏返して見た斜視図である。
２は車輌進行方向に平行に形成された複数の溝であり、該デッキボード１をブロー成形で製作する際に形成され、インナーリブではないいわゆる隠さないリブが自然と該溝２として構成される。
【００１４】
図３は、該デッキボード１の裏の該溝２にちょうど嵌まるように製作された仕切り板３の斜視図である。
該仕切り板３はブロー成形による中空の板が安価で剛性も高く相応しいが、他の金属製、木製でももちろん構わない。
【００１５】
図４は裏返した該デッキボード１に荷物１１，１１’を載せ、該荷物１１，１１’に合わせて該溝２に該仕切り板３を嵌めて該荷物１１が横方向にずれないようにした状態を表す斜視図である。
【００１６】
以上実施例に述べたように本発明によれば、
車両用デッキボードの裏面に複数の任意の溝を形成し、係る溝に複数の仕切り板を組み合わせることで荷物を固定することができるので、
・荷物のズレを防止することができる。
・通常は意匠面（溝のないほうの面）を表にしてデッキボードとして使用する
・荷物のズレを防止したい場合、反意匠面（裏面）を上にして使用する
・反意匠面に設置された溝に仕切り板を差し込むことができる
・荷物の大きさに合わせられる
・樹脂製ならば反意匠面は防水性であり、濡れたり汚れたりした物を積載する際に使用できる
・仕切り板の脱着が容易
・溝の形成方向は車輌進行方向に限らず、例えば車輌左右方向、斜め方向でも可
・ブロー成形、シートブロー成形等により形成されるが、樹脂を当該形状に成形可能であれば
製法を問わない。
となしたため、
安価に製造できるという効果がある。
【産業上の利用可能性】
【００１７】
本発明は、車両荷室用のデッキボードに限らず、荷物を置く場所であれば広く利用可能である。
【符号の説明】
【００１８】
１    デッキボード
２    溝
３    仕切り板
１１      荷物
１１’    荷物
【図１】
2020114730.tif 000003
【図２】
2020114730.tif 000004
【図３】
2020114730.tif 000005
【図４】
2020114730.tif 000006
(57)【要約】      （修正有）【課題】船舶用の発動機やオールなどの推進器を必要とせずに船舶その他の水上浮遊物もしくは水中物を効率的に移動および運搬させることを可能とする。【解決手段】ドローン４と牽引する対象となる船舶その他の水上浮遊物もしくは水中物３をロープやチェーンなどの牽引器５で連結し、ドローン４の推進力で牽引し移動および運搬する。船舶その他の水上浮遊物もしくは水中物３にはドローン発着場７とドローン４に電力を供給するためのバッテリー６を備える。ドローン４と船舶その他の水上浮遊物もしくは水中物３とを連結する牽引器５は、船舶その他の水上浮遊物もしくは水中物３に搭載されたバッテリー６からドローン４に電力を供給するための送電線の役割を兼ねる。【選択図】図１
2020114722.tif 000002
【特許請求の範囲】
【請求項１】
船舶その他の水上浮遊物もしくは水中物を牽引し移動および運搬する手段において、ドローンと、ロープやチェーンなどの牽引器（送電線を兼ねる）と、ドローン発着場およびドローンに電力を供給するためのバッテリーを備えた船舶その他の水上浮遊物もしくは水中物と、を備え、ドローンと牽引する対象となる船舶その他の水上浮遊物もしくは水中物をロープやチェーンなどの牽引器で連結し、ドローンの推進力で牽引し移動および運搬することを最も主要な特徴とする、船舶その他の水上浮遊物もしくは水中物をドローンで牽引するための一連の装置。
【発明の詳細な説明】
【技術分野】
【０００１】  本発明は、ドローンを用いて船舶その他の水上浮遊物もしくは水中物を牽引するための一連の装置に関するものである。
【発明の概要】
【発明が解決しようとする課題】
【０００２】  解決しようとする問題点は、船舶その他の水上浮遊物もしくは水中物をドローンの推進力を用いて効率的に牽引し移動および運搬することを可能にする点である。
【課題を解決するための手段】
【０００３】  本発明は、船舶その他の水上浮遊物もしくは水中物を効率的に牽引し移動および運搬するため、ドローンと牽引する対象となる船舶その他の水上浮遊物もしくは水中物をロープやチェーンなどの牽引器で連結し、ドローンの推進力で牽引し移動および運搬することを最も主要な特徴とする。船舶その他の水上浮遊物もしくは水中物にはドローン発着場とドローンに電力を供給するためのバッテリーを備える。ドローンと船舶その他の水上浮遊物もしくは水中物とを連結する牽引器は、船舶その他の水上浮遊物もしくは水中物に搭載されたバッテリーからドローンに電力を供給するための送電線の役割を兼ねる。さらにこの一連の装置を使用しない時もしくは船舶その他の水上浮遊物もしくは水中物を移動および運搬させない時（停泊している時）は、ドローンを船舶その他の水上浮遊物もしくは水中物に備え付けられたドローン発着場に駐機させておく。
【発明の効果】
【０００４】  本発明の利点は、船舶その他の水上浮遊物もしくは水中物が船舶用の発動機もしくはオールなどの推進器を備えていなくても、船舶その他の水上浮遊物もしくは水中物とドローンをロープやチェーンなどの牽引器で連結し、ドローンの推進力で牽引し移動および運搬することで、船舶その他の水上浮遊物もしくは水中物自体に船舶用の発動機を取り付けることを不要とし、かつオールなどの推進器を用いて推進させることを不要とする点にある。また、船舶その他の水上浮遊物もしくは水中物が船舶用の発動機もしくはオールなどの推進器を備えている場合においても、より効率的な移動および運搬を可能とする点にある。
【図面の簡単な説明】
【０００５】
【図１】船舶その他の水上浮遊物もしくは水中物とドローンをロープやチェーンなどの牽引器で連結し、ドローンの推進力で牽引し移動および運搬することを目的とした、ドローンを用いて船舶その他の水上浮遊物もしくは水中物を牽引するための一連の装置。（実施例１および実施例２）
【発明を実施するための形態】
【０００６】  ドローンと船舶その他の水上浮遊物もしくは水中物を組み合わせ、ドローンの推進力で船舶その他の水上浮遊物もしくは水中物を牽引し移動および運搬させるという目的を、最小の部品点数で、それぞれの部品の機能を損なわずに実現した。
【実施例１】
【０００７】  図１は、本発明装置の１実施例の概略図であって、１は水底、２は水面、３は船舶その他の水上浮遊物、４はドローン、５はロープやチェーンなどの牽引器（送電線を兼ねる）、６は船舶その他の水上浮遊物に搭載された、船舶その他の水上浮遊物からドローンに電力を供給するためのバッテリー、７は船舶その他の水上浮遊物に備え付けられたドローン発着場である。
【実施例２】
【０００８】  図２は、本発明装置の１実施例の概略図であって、１は水底、２は水面、３は船舶その他の水中物、４はドローン、５はロープやチェーンなどの牽引器（送電線を兼ねる）、６は船舶その他の水中物に搭載された、船舶その他の水中物からドローンに電力を供給するためのバッテリー、７は船舶その他の水中物に備え付けられたドローン発着場である。【０００９】  ドローンは特にその形態を問わない。
【産業上の利用可能性】
【００１０】  従来の船舶その他の水上浮遊物もしくは水中物の移動および運搬は主に発動機付きの船舶もしくはオールなどの推進器によるものであった。しかし船舶その他の水上浮遊物もしくは水中物をドローンで牽引する一連の装置の導入により、発動機やオールその他の推進力を持たない船舶その他の水上浮遊物もしくは水中物を牽引し移動および運搬することが容易となり、効率的な移動および運搬が可能となることから漁業者、海運業者、マリンレジャー業者等に益するものとなる。よってこれら幅広い分野に利用可能である。
【図１】
2020114722.tif 000003
【図２】
2020114722.tif 000004
【手続補正書】
【提出日】平成31年3月20日(2019.3.20)
【手続補正１】
【補正対象書類名】明細書
【補正対象項目名】０００５
【補正方法】変更
【補正の内容】
【０００５】
【図１】船舶その他の水上浮遊物とドローンをロープやチェーンなどの牽引器で連結し、ドローンの推進力で牽引し移動および運搬することを目的とした、ドローンを用いて船舶その他の水上浮遊物を牽引するための一連の装置。（実施例１）
【図２】船舶その他の水中物とドローンをロープやチェーンなどの牽引器で連結し、ドローンの推進力で牽引し移動および運搬することを目的とした、ドローンを用いて船舶その他の水中物を牽引するための一連の装置。（実施例２）
(57)【要約】      （修正有）【課題】従来に無かったさっぱり感とまろやかさを有し、溶けにくい、ヘルスシャーマロアイスの提供。【解決手段】果実汁や生野菜ジュース、その他の飲料水等を沸かしてから寒天とゼラチンを入れて、４０℃位に下がるまでにホイップすることにより、水分を寒天とゼラチンが包み込んだヘルスシャーマロアイスを得る。【効果】溶けにくく、また、溶けても、溶液になることは無くゼリー状になるので、介護施設、病院、老人ホーム等で、ゆっくり食べられる冷菓として役立つ。【選択図】なし【特許請求の範囲】
【請求項１】
本発明によれば、アイスに溶けにくい作用を得る為に寒天とゼラチンを併用する事で、果実汁や生野菜ジュース、その他の飲料水等も沸かしてから寒天とゼラチンを入れて、４０℃位に下げるまでにホイップする事により水分を寒天とゼラチンが包み込む事により、従来に無かった、さっぱり感とまろやかな、溶けにくい画期的なヘルスシャーマロアイスである。
【請求項２】
請求項１により、従来のアイス類等にコラボレーションする事で溶けにくさを求める介護施設、病院、老人ホーム、その他の関係に多いに応用商品として役立つものと思われる画期的なヘルスシャーマロアイスである。
【請求項３】
請求項１のアイスは溶けても、溶液になる事は無くゼリー状になるので一晩置いても冷蔵庫であれば冷く美味しく食べる事ができる画期的なヘルスシャーマロアイスである。
【発明の詳細な説明】
【技術分野】
【０００１】本発明は、寒天とゼラチンを併用して出来た画期的なアイスである。
技法としては、材料水である、果汁、生野ジュースなどを沸かしてからもどしておいた寒天を入れ８０℃位に下がった時に、もどしておいた板ゼラチンを入れて冷やしながら急いでホイップして４０℃位に下がるまでにホイップを完成させて、カップに詰めて冷凍するものであるが従来のアイスと違いマイナス１０度位でも問題なく良く仕上がるものであります。
ヘルスシャーマロアイスの基本の割合
材料水、１０００ｍｌ  粉寒天（テレット）１個６．７ｇ  板ゼラチン１枚７．５ｇ  上白砂糖４５ｇ（テレットを水にもどすので水１００ｍｌプラス）
【発明が解決しようとする課題】
【０００２】現在の日本の異状気象の温暖化により気温が上昇し、３０℃をこえる日が多くなり、常に氷菓子が食べたいと言う、近日に対して、庶民的な安価で、健康的アイスは、どうすれば出来るかを考えました。
【課題を解決するための手段】
【０００３】本発明によれば、大量生産、すなわち、商品化において設備費が安く見込まれヘルスシャーマロアイスを庶民の喜ぶ価値で発売可能な、メリットがあるものです。
【発明の効果】
【０００４】超簡単で溶けにくいアイスは、色々な、スポーツスタジアムや、介護施設病院、老人ホームなどで大活躍が期待できるものである。
従来のアイスの楽しみが３倍も長い時間になり、宅配アイスが夢ではなくなり、このヘルスシャーマロアイスが世界へ羽ばたくかも知れないと思えるハッピイロマンがあります。
(57)【要約】      （修正有）【課題】今までバスルーム内の見えるところにあった掃除道具やスリッパなどを収納しやすいように、浴槽エプロンに収納機能を設けた収納機能付き浴槽エプロンを提供する。【解決手段】浴槽エプロン１と浴槽４の間の空間２を利用し、その空間にあわせた収納機能３を設け、今までバスルーム内の見えるところにあった掃除道具やスリッパなどが浴槽エプロンの収納機能に収めることができ、バスルーム内の空間をより活用できるようになる。【選択図】図１
2020114371.tif 000002
【特許請求の範囲】
【請求項１】
浴槽エプロンと浴槽の間の空間を利用し、その空間にあわせた収納機能を設けたことを特徴とする収納機能付き浴槽エプロン。
【発明の詳細な説明】
【技術分野】
【０００１】  この発明は、浴槽エプロンに収納機能を設けた収納機能付き浴槽エプロンに関するものである。
【背景技術】
【０００２】  従来の浴槽エプロンは、収納機能はなく、浴槽を隠すカバーのみの役割であった。
【発明の概要】
【発明が解決しようとする課題】
【０００３】  これは、次のような欠点があった。浴槽を隠すカバーの役割しかなく、浴槽の掃除道具、スリッパなどは、バスルーム内の見えるところか、バスルーム外で保管する必要があった。
本発明は、以上のような欠点をなくすためになされたものである。
【課題を解決するための手段】
【０００４】  浴槽エプロン（１）と浴槽（４）の間の空間（２）を利用し、その空間にあわせた収納機能（３）を設ける。
本発明は、以上の構成よりなる収納機能付き浴槽エプロンである。
【発明の効果】
【０００５】  浴槽エプロンに収納機能がつくと、今までバスルーム内の見えるところにあった掃除道具やスリッパなどが浴槽エプロンの収納機能に収めることができ、バスルーム内が非常にスッキリする。また、浴槽エプロンに収納機能がつくことにより、バスルーム内の空間をより活用できるようになる。
【図面の簡単な説明】
【０００６】
【図１】本発明の側面図である。
【図２】本発明の収納機能が開いた場合の側面図である。
【発明を実施するための形態】
【０００７】  以下、本発明を実施するための形態について説明する。
浴槽エプロンの側面に収納棚を設けるための穴を開ける。
開けた穴に収納棚を取り付ける。
本発明は、以上のような構造である。
本発明をしようするときは、収納棚を開き、掃除道具などを格納すればいい。
【実施例】
【０００８】  浴槽エプロンに収納棚をつける場合は、収納するものの形状にあわせて収納棚の大きさを変更してもよい。柄の長い掃除道具を収納したい場合は、浴槽エプロンの下部の空間を利用し、収納棚を設ける。
【符号の説明】
【０００９】  １  浴槽エプロン
２  浴槽と浴槽エプロンの間の空間
３  収納棚
４  浴槽
【図１】
2020114371.tif 000003
【図２】
2020114371.tif 000004
(57)【要約】【課題】レジ袋が、不用になる様にする。エコバックと、お店のカゴと、両方を、持たなくても良い様にする。【解決手段】お店のカゴに、合体用のバネ金具▲３▼を、掛けて、自分用のカゴと、合体させて、一つのカゴの様にして、買い物をする。買い物が終って、自分用のカゴに、商品を入れて、ロールシート▲１▼を掛けて、商品が見えない様にする。ロールシート▲１▼を掛けて、自転車に積んでヒモを掛ければ商品が飛び出る事は、有りません。【選択図】図１
2020114372.tif 000002
【特許請求の範囲】
【請求項１】
お店のカゴに、自分用のカゴを、合体用バネ金具を、掛けて、合体させて、一つのカゴの様にして、買い物が、出来る様に、したカゴです。
【請求項２】
買い物が、終わり、レジが終わって、自分用のカゴに商品が入ったら、ロールシート▲１▼を掛けて、商品が見えにくい様にして、お店を出れば一見して、自分用のカゴと、解るので、何も気にしないで持ち帰る事が、出来る自分用のカゴです。
【発明の詳細な説明】
【技術分野】
【０００１】レジ袋を、不用にする為の、自分用の買い物カゴです。
お店の買い物カゴに、合体用の、バネ金具を、掛けて合体させて、一つのカゴの様にして、買い物をする。
買い物が終わり、レジの手前に、商品の入った、お店のカゴを置いて、レジを通過した商品を、自分用のカゴに入れて貰って、ロールシート▲１▼を掛けて、持ち帰る。
ロールシート▲１▼には、絵などを、プリントをすれば、イメージ的にも、良いと思います。
【背景技術】
【０００２】エコバックなど、有りますが、商品を入れて、持ち上げると上の部分が圧迫されるので、上に入れた、こわれやすい物ややわらかい物が、こわれたり、つぶれたり、する事が有ります。
【発明の概要】
【発明が解決しようとする課題】
【０００３】買い物カゴとエコバックの両方を持たなければならない。
商品を、レジ袋に、入れ替えなければならない。
【課題を解決するための手段】
【０００４】自分用のカゴと、お店のカゴを合体用のバネ金具で、合体させて、一つのカゴの様に、使用が出来る様に、した、自分用の買い物カゴです。
ロールシート▲１▼を、掛けて、商品が見えにくい様にする。
ロールシート▲１▼を掛けて、自転車に積んで、ヒモを掛けると、商品が、飛び出る事は、有りません。
カゴの底から、５ｃｍほどを、容器の様にして、水分が、車の中などに、漏れない様にする。
ロールシート▲１▼は、自動巻き取りにする。
【発明の効果】
【０００５】本発明により、レジ袋が、不用になります。
レジが、早く終ります。
【図面の簡単な説明】
【０００６】
【図１】▲１▼ロールシート▲２▼ロールシート受け▲３▼合体用バネ金具
【図２】合体用のバネ金具
【図３】ロールシート▲１▼を掛けた、状態です。
【符号の説明】
【０００７】▲１▼  ロールシート
▲２▼  ロールシート受け
▲３▼  合体用のバネ金具
【図１】
2020114372.tif 000003
【図２】
2020114372.tif 000004
【図３】
2020114372.tif 000005